(57)【要約】【課題】装着された記録媒体の種別に応じて、解像度の異なる適切なメニュー画面を生成して記録する記録装置を提供する。【解決手段】記録再生装置１００は、少なくとも、装着された記録媒体の属性情報を検出し、この検出結果を画像生成部１１１に伝える媒体情報検出部１１６と、媒体情報検出部１１６において高解像度の画像の記録が可能な記録媒体であると検出された場合には、高解像度のメニュー画面を生成し、高解像度の画像の記録ができない記録媒体であると検出された場合には、より低解像度のメニュー画面を生成する画像生成部１１１と、画像生成部１１１で生成されたメニュー画面を記録媒体１０に記録する記録制御部１０８とを備える。【選択図】図１
2007325040.tif 000002
【特許請求の範囲】
【請求項１】
第一の記録媒体、及び前記第一の記録媒体よりも高解像度の画像の記録が可能な第二の記録媒体への記録が可能な記録装置であって、
装着された記録媒体の情報に基づいて前記第一の記録媒体又は前記第二の記録媒体であるかを検出する検出手段と、
前記検出手段において、前記第二の記録媒体であると検出された場合には、高解像度のメニュー画面を生成し、前記第一の記録媒体であると検出された場合には、当該メニュー画面より低解像度のメニュー画面を生成するメニュー画面生成手段と、
前記メニュー画面生成手段において生成されたメニュー画面を前記装着された記録媒体に記録する記録手段とを備える
ことを特徴とする記録装置。
【請求項２】
前記検出手段は、前記記録媒体の種類に基づいて前記第一の記録媒体又は前記第二の記録媒体であるかを検出し、
前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、
前記記録手段は、前記メニュー画面生成手段において生成されたメニュー画面を前記装着された記録媒体に記録する
ことを特徴とする請求項１記載の記録装置。
【請求項３】
前記検出手段は、前記記録媒体の容量に基づいて前記第一の記録媒体又は前記第二の記録媒体であるかを検出し、
前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、
前記記録手段は、前記メニュー画面生成手段において生成されたメニュー画面を前記装着された記録媒体に記録する
ことを特徴とする請求項１記載の記録装置。
【請求項４】
前記検出手段は、前記記録媒体に記録されているコンテンツの種別に基づいて前記第一の記録媒体又は前記第二の記録媒体であるかを検出し、
前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、
前記記録手段は、前記メニュー画面生成手段において生成されたメニュー画面を前記装着された記録媒体に記録する
ことを特徴とする請求項１記載の記録装置。
【請求項５】
前記検出手段は、前記記録媒体のデータ転送速度に基づいて前記第一の記録媒体又は前記第二の記録媒体であるかを検出し、
前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、
前記記録手段は、前記メニュー画面生成手段において生成されたメニュー画面を前記装着された記録媒体に記録する
ことを特徴とする請求項１記載の記録装置。
【請求項６】
前記メニュー画面生成手段は、前記検出手段において前記第二の記録媒体であると検出された場合には、前記第一の記録媒体であると検出された場合より大きなサイズのサムネイル画像を用いて前記メニュー画面を生成する
ことを特徴とする請求項１から５の何れかに記載の記録装置。
【請求項７】
第一の記録媒体、及び前記第一の記録媒体よりも高解像度の画像の記録が可能な第二の記録媒体への記録が可能な記録装置に用いる記録方法であって、
装着された記録媒体の情報に基づいて前記第一の記録媒体又は前記第二の記録媒体であるかを検出する検出ステップと、
前記検出ステップにおいて、前記第二の記録媒体であると検出された場合には、高解像度のメニュー画面を生成し、前記第一の記録媒体であると検出された場合には、当該メニュー画面より低解像度のメニュー画面を生成するメニュー画面生成ステップと、
前記メニュー画面生成ステップにおいて生成されたメニュー画面を前記装着された記録媒体に記録する記録ステップとを含む
ことを特徴とする記録方法。
【請求項８】
第一の記録媒体、及び前記第一の記録媒体よりも高解像度の画像の記録が可能な第二の記録媒体への記録が可能な記録装置に用いるプログラムであって、
装着された記録媒体の情報に基づいて前記第一の記録媒体又は前記第二の記録媒体であるかを検出する検出ステップと、
前記検出ステップにおいて、前記第二の記録媒体であると検出された場合には、高解像度のメニュー画面を生成し、前記第一の記録媒体であると検出された場合には、当該メニュー画面より低解像度のメニュー画面を生成するメニュー画面生成ステップと、
前記メニュー画面生成ステップにおいて生成されたメニュー画面を前記装着された記録媒体に記録する記録ステップとをコンピュータに実行させる
ことを特徴とするプログラム。
【発明の詳細な説明】
【技術分野】
【０００１】
本発明は、例えばＤＶＤ、Ｂｌｕ−ｒａｙディスクやメモリカード等の記録媒体に対して、記録されたコンテンツの内容の一覧表示となるメニュー画面等のデータを記録できる記録装置に関する。
【背景技術】
【０００２】
従来の記録装置においては、ライトワンス型媒体のファイナライズ時、もしくはリライタブル型媒体の記録時において記録されているコンテンツデータのサムネイル画像の一覧表示であるディスクメニューを生成して記録する（例えば、特許文献１参照）。
【０００３】
図６は、従来の記録装置に表示されるディスクメニューの画面の一例を示す。この従来のディスクメニューは、記録媒体に記録されているコンテンツの内容をサムネイル画像の一覧として表示し、ユーザのコンテンツ選択操作を容易にするものである。本図に示すように、従来の記録再生装置においては、標準の解像度であるＳＤＴＶ解像度にあったサイズ（特にサムネイル画像枚数）のディスクメニューが記録媒体に記録される。
【特許文献１】特開２００４−５７７６号公報
【発明の開示】
【発明が解決しようとする課題】
【０００４】
しかしながら、近年においては、標準のＳＤＴＶ画像のＤＶＤ等のディスクへの記録と、例えば、Ｂｌｕ−ｒａｙディスク等の次世代ディスクを用いてＨＤＴＶ画像等の高解像度の画像とを記録可能なマルチドライブ対応の記録装置が商品化されており、このような記録装置においては、記録媒体の種類に応じて解像度の異なるメニュー画面を記録媒体に記録する機能が無いという問題がある。
【０００５】
すなわち、今後、次世代ディスクやメモリーカードにディスクメニューが記録可能になる場合、メニュー画面にもハイビジョン対応の高品位なメニュー画像が必要となり、ＳＤＴＶ画像とＨＤＴＶ画像とを記録可能なマルチドライブ対応の記録装置において、記録媒体の種類に基づいてディスクメニューの解像度を変更して記録する機能が要求されている。
【０００６】
また、マルチドライブ対応の記録再生装置においては、従来型ＤＶＤ記録再生装置やＳＤＴＶしか扱えないメモリーカード記録再生装置との互換性を保つためにも、ＳＤＴＶ解像度で記録されたメニュー画像を再生する必要もある。
【０００７】
さらに、今後、ハイビジョンの画質を記録可能な記録装置として、画像圧縮技術の進展により、ハイビジョンをＳＤＴＶ並みに圧縮することでＤＶＤに記録可能とする、あるいはＳＤメモリーカードなどのディスク以外の記録媒体に記録可能とする記録装置の開発も進められている。
【０００８】
本発明は、以上の課題に鑑みてなされたものであり、装着された記録媒体の属性情報等に応じて、解像度の異なるメニュー画面を生成して自動的に記録できる記録装置を提供することを目的とする。
【課題を解決するための手段】
【０００９】
前記目的を達成するために、本発明に係る記録装置は、第一の記録媒体、及び前記第一の記録媒体よりも高解像度の画像の記録が可能な第二の記録媒体への記録が可能な記録装置であって、装着された記録媒体の情報に基づいて前記第一の記録媒体又は前記第二の記録媒体であるかを検出する検出手段と、前記検出手段において、前記第二の記録媒体であると検出された場合には、高解像度のメニュー画面を生成し、前記第一の記録媒体であると検出された場合には、当該メニュー画面より低解像度のメニュー画面を生成するメニュー画面生成手段と、前記メニュー画面生成手段において生成されたメニュー画面を前記装着された記録媒体に記録する記録手段とを備えることを特徴とする。
【００１０】
この構成により、検出手段において、装着された記録媒体が前記第一の記録媒体と検出される場合、記録手段を介して例えばＳＤＴＶ解像度のみ記録可能な従来型ＤＶＤであればＳＤＴＶ解像度のディスクメニューを従来型の記録媒体に記録し、検出手段において、装着された前記第二の記録媒体と検出される場合、例えば画像圧縮率を高めてＨＤＴＶを記録可能とした新規格ＤＶＤディスク又はＨＤＴＶ解像度まで記録可能なＢｌｕ−ｒａｙディスクであると検出された場合には、記録手段を介してＨＤＴＶ解像度のディスクメニューを記録することができる。
【００１１】
また、本発明に係る記録装置の前記検出手段は、前記記録媒体の種類に基づいて前記第一の記録媒体又は前記第二の記録媒体であるかを検出し、前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、前記記録手段は、前記メニュー画面生成手段において生成されたメニュー画面を前記装着された記録媒体に記録することを特徴とする。
【００１２】
さらに、本発明に係る記録装置の前記検出手段は、前記記録媒体の容量に基づいて前記第一の記録媒体又は前記第二の記録媒体であるかを検出し、前記メニュー画面生成手段は、前記検出手段において、前記第二の記録媒体であると検出された場合には、高解像度のメニュー画面を生成し、前記第一の記録媒体であると検出された場合には、当該メニュー画面より低解像度のメニュー画面を生成し、前記記録手段は、前記メニュー画面生成手段において生成されたメニュー画面を前記装着された記録媒体に記録することを特徴とする。
【００１３】
これらの構成により、検出手段において記録媒体の種類、例えばＤＶＤかＢｌｕ−ｒａｙディスクかを検出して、この記録媒体の種類に応じて高解像度又は低解像度のメニュー画面を生成して、記録媒体に記録することが可能となる。
【００１４】
また、記録装置においては、装着された記録媒体の種類に応じて、メモリーカードがＳＤＴＶ解像度のみが十分な記録時間で記録可能な小容量のメモリーカードであればＳＤＴＶ解像度のディスクメニューを、ＨＤＴＶ解像度でも十分な記録時間を確保可能な大容量のＢｌｕ−ｒａｙディスク等の記録媒体であれば、Ｂｌｕ−ｒａｙの高解像度記録を生かせないＳＤＴＶ解像度のディスクメニューではなく、ＨＤＴＶ解像度のディスクメニューを記録することができる。
【００１５】
尚、前記目的を達成するために、本発明は、記録装置の特徴的な手段をステップとする記録方法として実現したり、コンピュータに各ステップを実行させるためのプログラムとして実現することもできる。そのようなプログラムは、ＣＤ−ＲＯＭ等の記録媒体やインターネット等の伝送媒体を通じて配信することができるのは言うまでもない。
【発明の効果】
【００１６】
本発明に係る記録再生装置においては、装着された記録媒体の種類や容量等の情報を検出し、検出結果によって生成するディスクメニューの解像度を変更して記録媒体に記録することが可能となる。
【００１７】
また、記録装置において記録媒体の種類に基づいて適切な解像度のメニュー画面が記録媒体に記録されているために、ＳＤＴＶ画像とＨＤＴＶ画像とを記録可能なマルチドライブ対応の記録再生装置での再生時においては、ハイビジョン又は標準の解像度に対応したメニュー画面を表示することができ、ユーザの使い勝手を向上できる。
【００１８】
さらに、記録媒体をマルチドライブではない単機能の従来型ＤＶＤ記録再生装置やＳＤＴＶしか扱えないメモリーカード記録再生装置に掛けて互換再生する場合でも、メニュー画面を適切に表示できる。
【発明を実施するための最良の形態】
【００１９】
以下、本発明に係る記録装置の実施の形態について図面を参照しながら説明する。
【００２０】
（実施の形態）
図１は、本実施の形態における記録再生装置のハードウェア構成を示す図である。なお、本実施の形態に係る記録再生装置は、記録媒体の種別に応じて、記録媒体に記録されたコンテンツの一覧表示であるメニュー画面の解像度を変更して適切に記録媒体に記録することを特徴とする。
【００２１】
図１に示されるように、記録再生装置１００は、レンズ群１０１、撮像部１０２、Ａ／Ｄ変換部１０３、映像信号処理部１０４、圧縮多重部１０５、記録処理部１０６、記録制御部１０８、入力部１０９、制御部１１０、画像生成部１１１、表示部１１２、映像信号処理部１１３、分離伸張部１１４、再生処理部１１５、媒体情報検出部１１６などを備える。
【００２２】
レンズ群１０１は、複数の光学レンズから構成される。
【００２３】
撮像部１０２は、撮像素子などから構成され、レンズ群１０１を介して入力された映像を撮像する。撮像した映像をアナログ信号としてＡ／Ｄ変換部１０３に出力する。
【００２４】
Ａ／Ｄ変換部１０３は、撮像部１０２から出力されたアナログ信号をデジタル信号に変換する。変換して得られたデジタル信号を映像信号処理部１０４に出力する。
【００２５】
映像信号処理部１０４は、Ａ／Ｄ変換部１０３から出力されたデジタル信号を映像信号に変換する。変換して得られた映像信号を圧縮多重部１０５に出力する。
【００２６】
圧縮多重部１０５は、映像信号処理部１０４から出力された映像信号を、ＭＰＥＧ−２やＨ．２６４などの符号化方法に基づいて、圧縮して多重する。多重して得られた映像信号をコンテンツとして記録処理部１０６に出力する。
【００２７】
記録処理部１０６は、圧縮多重部１０５から出力されたコンテンツを記録媒体１０に書き込む。
【００２８】
記録制御部１０８は、記録媒体１０を駆動するドライブ装置を制御すると共に、画像生成部１１１で生成されたメニュー画面を記録媒体１０に記録する。
【００２９】
入力部１０９は、入力デバイスを介してユーザ操作を受け付ける。受け付けたユーザ操作を操作情報として制御部１１０に出力する。
【００３０】
制御部１１０は、映像信号処理部１０４、圧縮多重部１０５、記録処理部１０６、記録制御部１０８、画像生成部１１１、映像信号処理部１１３、分離伸張部１１４、再生処理部１１５を制御して、記録再生装置１００における記録処理、再生処理などを実行する。
【００３１】
媒体情報検出部１１６は、装着された記録媒体の属性情報を検出し、この検出結果を画像生成部１１１に伝える。なお、この媒体情報検出部１１６が検出してＳＤＴＶのディスクメニューを記録するか、ＨＤＴＶのディスクメニューを記録するかの判定に用いる記録媒体の属性情報としては、例えば、（１）記録媒体の種類（例えばＤＶＤかＢｌｕ−ｒａｙディスクか）、（２）記録媒体の容量、（３）記録媒体上にすでに記録されているコンテンツの種別、（４）記録媒体の転送速度（たとえば、ＳＤメモリーカードにおける「Ｃｌａｓｓ２」などの転送性能指標）などがあげられる。以下、これら４つの属性情報の詳細を説明する。
【００３２】
（１）記録媒体の種類
記録媒体の種類によって、たとえば記録・再生に使える光の波長が違うことなど物理特性の相違から記録媒体を判別することが出来る。この場合、基本的には記録媒体の種類から直接的にＨＤＴＶのディスクメニューを記録するかどうかが判定可能である（例えば、Ｂｌｕ−ｒａｙであればＨＤＴＶのディスクメニューを記録する、など）。
【００３３】
（２）記録媒体の容量
OSが記録媒体上に形成するパーティション情報、ファイルシステムに格納された情報などから判定することが出来る。この場合、記録媒体の容量が所定の容量以上あればＨＤＴＶのディスクメニューを記録する、といった判定方法がある。
【００３４】
（３）記録媒体上にすでに記録されているコンテンツの種別
コンテンツのファイル構成は記録規格によって異なっており、ファイル構成自体からコンテンツの種別が判定可能である。また、同一規格でＨＤＴＶ、ＳＤＴＶの両方が記録可能である場合は、一般的な記録規格では管理ファイルに、コンテンツとしてＨＤＴＶ／ＳＤＴＶのどちらを記録しているかの情報が記載されているので、これにディスクメニューの解像度をあわせる、といった判定方法がある（例えば、後ほど図２に示すコンテンツのinfoファイル、またはCLIPINFフォルダの情報などが利用可能である）。
【００３５】
（４）記録媒体の転送速度
例えば記録媒体上に、記録媒体の製造時に転送速度に関する管理情報を記録するように記録規格を制定し、この情報を読み込むことにより、所定の値よりも高速な転送速度が得られる場合にはＨＤＴＶのディスクメニューを記録する、といった判定方法がある。
【００３６】
また、媒体情報検出部１１６において判断される「高解像度の画像の記録が可能な記録媒体」の定義としては、例えば以下の４つが挙げられる。
【００３７】
（１）記録媒体の種類
例えば、ディスク記録媒体の製造時に予め情報を埋め込んでおき、媒体情報検出部１１６において、この情報が波長405nmのレーザ光で読み取れた場合はHDTV等の高解像度の画像の記録が可能な記録媒体と判断する。
【００３８】
なお、現状においては、例えば、DVD(SDTV)のレーザ波長は660nm、Blu-rayのレーザ波長は405nm記録型光ディスクの記録トラックには、ディスク製造時に予めアドレス情報が埋め込まれている。
【００３９】
（２）記録媒体の容量
例えば、媒体情報検出部１１６において、ディスクの容量が10GByte以上と検出される場合には、HDTV等の高解像度の画像の記録が可能な記録媒体と判断する。
【００４０】
なお、現状においては、例えば、単層DVD(SDTV)は4.7Gbyte、単層Blu-ray(HDTV)は25GByteの容量を有している。
【００４１】
（３）コンテンツの種類
例えば、媒体情報検出部１１６において、「すでに記録されているコンテンツがHDTV」であると検出される場合においては、装着されている記録媒体が高解像度の画像の記録が可能な記録媒体と判断される。
【００４２】
（４）記録媒体の転送速度
例えば、媒体情報検出部１１６において転送速度が11Mb/sec以上と検出された場合にHDTV等の高解像度の画像の記録が可能な記録媒体と判断される。なお、現状においては、DVD-VR規格（SDTV）の最大転送レートは10.08Mb/secである。
【００４３】
画像生成部１１１は、媒体情報検出部１１６からの検出結果に基づいて記録媒体１０に記録されているコンテンツが一覧できるメニュー画像を生成する。すなわち、画像生成部１１１は、媒体情報検出部１１６において高解像度の画像の記録が可能な記録媒体であると検出された場合には、高解像度のメニュー画面を生成し、高解像度の画像の記録ができない記録媒体であると検出された場合には、ＳＤＴＶ画像に対応した解像度のメニュー画面を生成する。また、生成されたメニュー画面は、記録制御部１０８を用いて記録媒体１０の管理情報１２１として記録される。
【００４４】
表示部１１２は、映像信号処理部１１３から出力された映像信号をモニタなどに表示する。
【００４５】
映像信号処理部１１３は、分離伸張部１１４から出力された伸張後のコンテンツを映像信号に変換する。変換して得られた映像信号を表示部１１２に出力する。また、必要に応じて画像生成部１１１が生成したメニュー画像などをそのまま、もしくは分離伸張部１１４から出力された伸張後のコンテンツに多重して、映像信号として表示部１１２に出力する。
【００４６】
分離伸張部１１４は、再生処理部１１５から出力されたコンテンツを、圧縮多重部１０５が施したＭＰＥＧ−２やＨ．２６４などの符号化方法に基づいて、分離して伸張する。伸張して得られたコンテンツを映像信号処理部１１３に出力する。
【００４７】
再生処理部１１５は、再生対象のコンテンツを記録媒体１０から読み出す。読み出したコンテンツを分離伸張部１１４に出力する。
【００４８】
記録媒体１０にはコンテンツ１２０とともに、コンテンツの内容を示す管理情報１２１が記録される。この管理情報には再生順序情報、部分再生や特殊再生の補助情報などとともに記録されているディスクメニュー画像を生成する元となるメニュー情報が記録されている。
【００４９】
なお、本実施の形態の説明における記録媒体は、ディスク媒体だけでなくメモリーカードなどの記録が可能な媒体をすべて対象としている。また、本実施の形態での説明におけるメニュー画面はメディアに記録されたコンテンツの一覧画面のことである。
【００５０】
図２は、本実施の形態における記録媒体に記録されているファイル構成を示す図である。図２に示されるように、ここでは、一例として、コンテンツフォルダ（ＣＯＮＴＥＮＴＳ）の配下に、インフォファイル１１（ｉｎｆｏ）、メニューファイル１２（ｍｅｎｕ）、プレイリストフォルダ（ＰＬＡＹＬＩＳＴ）、クリップインフォフォルダ（ＣＬＩＰＩＮＦ）、ストリームフォルダ（ＳＴＲＥＡＭ）などが格納されている。
【００５１】
インフォファイル１１（ｉｎｆｏ）には、ディレクトリ全体の管理情報が記録されている。メニューファイル１２（ｍｅｎｕ）には、メニューを構成する情報などが含まれる。
【００５２】
さらに、プレイリストフォルダ（ＰＬＡＹＬＩＳＴ）の配下に、プレイリストファイル１３（０１００１．ｐｌｓｔ）などが格納されている。プレイリストファイル１３（０１００１．ｐｌｓｔ）には、コンテンツの再生順序に関する情報などが含まれる。
【００５３】
また、クリップインフォフォルダ（ＣＬＩＰＩＮＦ）の配下に、クリップインフォファイル１４（０１０００．ｃｌｐｉ）などが格納されている。クリップインフォファイル１４（０１０００．ｃｌｐｉ）には、時間情報と映像データとの位置を対応付け、部分再生、特殊再生を実現するタイムテーブルなどが含まれる。
【００５４】
また、ストリームフォルダ（ＳＴＲＥＡＭ）の配下に、ストリームファイル１５（０１０００．ｍ２ｔｓ）などが格納されている。ストリームファイル１５（０１０００．ｍ２ｔｓ）には、ＡＶデータファイルが含まれる。
【００５５】
そして、制御部１１０は、再生制御にあたって、プレイリストファイル１３、クリップインフォファイル１４、ストリームファイル１５の３種類のファイルを使用する。
【００５６】
なお、プレイリストファイルには、再生したいクリップインフォファイルと再生時間が記載されている。このプレイリストファイルを再生すると、指示されたクリップインフォファイルが参照されて、そのタイムテーブルなどの情報を用いて指定されたストリームファイルが再生される。例えば、プレイリストファイル（０１００１．ｐｌｓｔ）には、クリップ（＃１）、クリップ（＃２）などの順に再生されることが示されている。このとき、クリップ（＃１）については、クリップインフォファイル（０１０００．ｃｌｐｉ）によって対応付けられているストリームファイル（０１０００．ｍ２ｔｓ）が再生される。クリップ（＃２）については、クリップインフォファイル（０２０００．ｃｌｐｉ）によって対応付けられているストリームファイル（０２０００．ｍ２ｔｓ）が再生される。
【００５７】
図３は、本実施の形態におけるメニューファイル１２のデータ構造を示す図である。図３に示されるように、メニューファイル１２は、記録媒体１０に記録されているコンテンツを、１以上のページに分けて一覧するディスクメニュー（例えば、図４参照。）を記述したメニューファイルである。
【００５８】
ここでは、一例として、メニューファイル１２には、先頭から順に、“Ｃ＆Ｇ＃１”、“Ｃ＆Ｇ＃２”、“Ｃ＆Ｇ＃３”、“Ｃ＆Ｇ＃４”、・・・のように、各プレイリストファイルと対応付けられた“Ｃ＆Ｇ”が含まれている。その後に、“Ｓｔｉｌｌ  Ｐｉｃｔｕｒｅ＃１”、“Ｓｔｉｌｌ  Ｐｉｃｔｕｒｅ＃２”、“Ｓｔｉｌｌ  Ｐｉｃｔｕｒｅ＃３”、“Ｓｔｉｌｌ  Ｐｉｃｔｕｒｅ＃４”、・・・のように、各“Ｃ＆Ｇ”と対応付けられた“Ｓｔｉｌｌ  Ｐｉｃｔｕｒｅ”が含まれている。なお、このとき、“Ｃ＆Ｇ”は、制御情報と画像情報とで構成されるデータである。
【００５９】
“Ｓｔｉｌｌ  Ｐｉｃｔｕｒｅ”は、メニューの背景画像を符号化したデータである。また、背景画像を構成する画像、例えば、枠、ボタンなどについては、メニューの表示を制御するコマンドが対応付けられている。
【００６０】
例えば、記録再生装置１００は、“Ｃ＆Ｇ＃１”に基づいて、プレイリストファイル（０１００１．ｐｌｓｔ）に記載されているクリップのサムネイル画像を背景画像に含む１ページ目のメニューを表示する。そして、この１ページ目のメニューが表示されている状態で、次のページのメニューを表示させる操作がユーザから受け付けられると、“Ｃ＆Ｇ＃１”の後続の“Ｃ＆Ｇ＃２”に対して同様の処理を実行する。そして、プレイリストファイル（０２００２．ｐｌｓｔ）に記載されているクリップのサムネイル画像を背景画像に含む２ページ目のメニューを表示する。以下、“Ｃ＆Ｇ＃３”、“Ｃ＆Ｇ＃４”についても同様である。
【００６１】
図４は、本実施の形態におけるディスクメニュー画面の表示例を示す図である。
【００６２】
まず、媒体情報検出部１１６が、装着された記録媒体が従来型のＤＶＤであることを検出した場合、記録処理部１０６はＳＤＴＶ画像フォーマットに基づき、“開会式”、“玉投げ”などのサムネイル画像を６枚並べた背景画像を“Ｓｔｉｌｌ  Ｐｉｃｔｕｒｅ＃１“として符号化するとともに、この画像に整合するような画素数で、ユーザ操作によって色・形などが変わる画像情報（例えば、Ｐａｇｅ２を示す矢印やサムネイル画像の選択有無を示す枠など）を制御情報とともに”Ｃ＆Ｇ“に記録する。
【００６３】
このようにメニューファイルに記録された記録媒体が記録再生装置１００に装着されると、制御部１１０はまず、“Ｃ＆Ｇ＃１”に基づいて、“Ｓｔｉｌｌ  Ｐｉｃｔｕｒｅ＃１”を背景画像に使用し、さらに矢印や枠などの画像情報を重畳して図４（ａ）に示すようなＳＤＴＶ画像フォーマットのメニュー画面１６０を表示する。そして、ユーザは、メニューの中から再生したいサムネイル画像を選択して再生操作を行うと、制御部１１０は、それに対応したプレイリストファイルを参照して、ストリームファイルを再生する。
【００６４】
一方、媒体情報検出部１１６が、装着された記録媒体がＢｌｕ−ｒａｙディスクであることを検出した場合、もしくは媒体自体はＤＶＤであってもすでに記録されているコンテンツが高圧縮率の画像圧縮方式によりＨＤＴＶ画像を含むコンテンツが記録されている記録媒体であることを検出した場合、記録処理部１０６はＨＤＴＶ画像フォーマットに基づき、サムネイル画像を１２枚並べた背景画像を“Ｓｔｉｌｌ  Ｐｉｃｔｕｒｅ＃１“として符号化するとともに、この画像に整合するような画素数で、ユーザ操作によって色・形などが変わる矢印や枠などの画像情報を制御情報とともに”Ｃ＆Ｇ“に記録する。
【００６５】
このようにメニューファイルに記録された記録媒体が記録再生装置１００に装着されると、制御部１１０はまず、“Ｃ＆Ｇ＃１”に基づいて、“Ｓｔｉｌｌ  Ｐｉｃｔｕｒｅ＃１”を背景画像に使用し、さらに矢印や枠などの画像情報を重畳して図４（ｂ）に示すようなＨＤＴＶ画像フォーマットのメニュー画面１６０を表示する。
【００６６】
図５は、本発明に係る記録再生装置におけるメニュー画面生成及び記録における動作手順を示すフローチャートである。
【００６７】
最初に、記録媒体に新たなコンテンツが記録されたか否かの判定を行う（Ｓ５０１）。
【００６８】
そして、新たなコンテンツが記録媒体に記録された場合には、媒体情報検出部１１６において記録媒体の種類を検出して、高解像度の画像が記録可能か否かの判定を行う（Ｓ５０２）。なお、本図においては記録媒体の種類を検出する場合について説明しているが、上述に示す記録媒体の他の属性情報を検出することも可能である。
【００６９】
次に、媒体情報検出部１１６において、記録媒体に高解像度の画像の記録が可能であると判定される場合には（Ｓ５０２でＹｅｓ）、画像生成部１１１において高解像度用のメニュー画面を生成して、記録制御部１０８を介して記録媒体１０に記録する（Ｓ５０３）。
【００７０】
また、媒体情報検出部１１６において、記録媒体に高解像度の画像の記録が可能でないと判定される場合には（Ｓ５０２でＮｏ）、画像生成部１１１において、低解像度用のメニュー画面を生成して、記録制御部１０８を介して記録媒体１０に記録する（Ｓ５０４）。
【００７１】
以上、本実施の形態における記録再生装置１００によれば、媒体情報検出部１１６において、装着された記録媒体の媒体種類、残容量、すでに記録されているコンテンツの種別などの属性情報を検出して、検出された媒体情報に基づいて画像生成部１１１において記録媒体に適切な解像度のメニュー画面を生成して、記録制御部１０８においてこの生成されたメニュー画面を記録媒体１０に記録できる。
【００７２】
また、本発明に係る記録再生装置１００において記録媒体の種類に適したメニュー画面が記録されているために、ＳＤＴＶ／ＨＤＴＶ画像対応のマルチドライブ機において記録媒体を再生する際には、常に記録媒体の種類に適した解像度のメニュー画面を表示できると共に、マルチドライブ機ではない単機能の記録再生装置に記録媒体を掛けて互換再生する場合でも、メニュー画面を表示することが可能となる。
【産業上の利用可能性】
【００７３】
本発明に係る記録装置は、可搬性の記録媒体に音声や映像を記録する装置として、特に、半導体メモリや光ディスク等の記録媒体にＡＶデータを記録するとともに、必要に応じてメニュー画面を表示するためのメニュー情報を記録するＤＶＤ／ＢＤ対応記録装置やビデオカメラとして適用できる。
【図面の簡単な説明】
【００７４】
【図１】本発明に係る実施の形態における記録再生装置のハードウェア構成を示す図
【図２】本発明に係る実施の形態における記録媒体に記録されているファイル構成を示す図
【図３】本発明に係る実施の形態におけるメニューファイルのデータ構造を示す図
【図４】本発明に係る実施の形態におけるディスクメニュー画面の表示例を示す図
【図５】本発明に係る記録再生装置におけるメニュー画面生成及び記録における動作手順を示すフローチャート
【図６】従来の記録再生装置におけるディスクメニュー画面の表示例を示す図
【符号の説明】
【００７５】
１０  記録媒体
１００  記録再生装置
１０１  レンズ群
１０２  撮像部
１０３  Ａ／Ｄ変換部
１０４  映像信号処理部
１０５  圧縮多重部
１０６  記録処理部
１０８  記録制御部
１０９  入力部
１１０  制御部
１１１  画像生成部
１１２  表示部
１１３  映像信号処理部
１１４  分離伸張部
１１５  再生処理部
１１６  媒体情報検出部
【図１】
2007325040.tif 000003
【図２】
2007325040.tif 000004
【図３】
2007325040.tif 000005
【図４】
2007325040.tif 000006
【図５】
2007325040.tif 000007
【図６】
2007325040.tif 000008